(57)【要約】【課題】  エレベータ制御盤に認証用データベースを設けることなく、事前に大量データ登録することなく、簡易に来訪者に対するセキュリティを確保することにある。【解決手段】  建物の各居住室に設置され、エントランス側に設置される来訪側通話装置１から来訪者の操作のもとに入室許可の要請を受けたとき、入室許可データを送出する居住側通話装置３と、この居住側通話装置３から入室許可データを受けたとき、入室許可に関するバーコード情報を印刷したバーコード５を発行するバーコード発行器４と、エレベータの設置乗場に設置され、来訪者が所持するバーコード５のバーコード情報を読取って送信するバーコードリーダ６と、バーコード読取り情報を受信すると、当該バーコードリーダの設置階から呼びとして登録するエレベータ制御盤７とを備えたエレベータの制御システムである。【選択図】図１
2011051718.tif 000002
【特許請求の範囲】
【請求項１】
建物のエントランス側に設置される来訪側通話装置を通して当該建物内居住室の居住者に対して入室許可を受けてエレベータを利用するエレベータの制御システムにおいて、
前記建物の各居住室に設置され、前記来訪側通話装置から来訪者の操作のもとに入室許可の要請を受けたとき、入室許可データを送出する居住側通話装置と、
前記来訪側通話装置の近傍に設置され、前記居住側通話装置から入室許可データを受けたとき、入室許可に関するバーコード情報を印刷したバーコードを発行するバーコード発行器と、
エレベータの設置乗場に設置され、前記来訪者が所持するバーコードのバーコード情報を読取り、入室許可に関するバーコード情報を送信するバーコードリーダと、
このバーコードリーダから入室許可に関するバーコード情報を受信すると、当該バーコードリーダの設置階からの呼びとして登録し、エレベータ乗りかごを登録呼び階に移動させるエレベータ制御盤とを備えたことを特徴とするエレベータの制御システム。
【請求項２】
請求項１に記載のエレベータの制御システムにおいて、
前記バーコード発行器は、各居住室に居住する居住者の申告または指示に基づき、前記来訪者に対する利用許可階を含んだバーコード情報を記憶した利用許可階テーブルを設け、前記居住側通話装置から入室許可データを受けたとき、前記利用許可階を含んだバーコード情報を印刷したバーコードを発行し、
前記エレベータ制御盤は、前記来訪者が所持するバーコードのバーコード情報を読取ったバーコードリーダから利用許可階を含んだバーコード情報を受信すると、乗りかごのかご操作盤から利用許可階以外の行先階の操作指示を受けたとき、当該かご呼びに応答しないことを特徴とするエレベータの制御システム。
【請求項３】
請求項１または請求項２に記載のエレベータの制御システムにおいて、
前記バーコード発行器は、各居住室に居住する居住者の申告または指示に基づき、前記来訪者に対する利用可能時間を含むバーコード情報を記憶した利用可能時間テーブルを設け、前記居住側通話装置から入室許可データを受けたとき、前記利用可能時間を含んだバーコード情報を印刷したバーコードを発行し、
前記エレベータ制御盤は、前記来訪者が所持するバーコードのバーコード情報を読取ったバーコードリーダから利用可能時間を含むバーコード情報を受信するが、現在時刻がバーコード情報に含む利用可能時間を過ぎている場合に前記バーコードリーダの設置階への呼び登録をしないことを特徴とするエレベータの制御システム。
【請求項４】
建物のエントランス側に設置される来訪側通話装置を通して当該建物内居住室の居住者に対して入室許可を受けてエレベータを利用するエレベータの制御システムにおいて、
前記建物の各居住室に設置され、前記来訪側通話装置から来訪者の操作のもとに入室許可の要請を受けたとき、入室許可要請を受けた各居住者から入室許可データを送出する居住側通話装置と、
前記来訪側通話装置の近傍に設置され、前記各居住側通話装置から入室許可データを受けたとき、固有番号及び各居住者からの入室許可数に相当するエレベータ利用回数を含むバーコード情報を印刷したバーコードを発行するバーコード発行器と、
エレベータの設置乗場に設置され、前記来訪者が所持するバーコードのバーコード情報を読取り、固有番号及びエレベータ利用回数を含む情報を送信するバーコードリーダと、
このバーコードリーダから固有番号及びエレベータ利用回数を含む情報を受信記録し、以後，前記バーコードリーダから少なくとも固有番号を受けたとき、エレベータの利用累積回数が既に記録されたエレベータ利用回数を超えているとき、応答処理しないエレベータ制御盤とを備えたことを特徴とするエレベータの制御システム。
【請求項５】
請求項１ないし請求項３の何れか１項に記載の構成と請求項４に記載の構成とを組合せたことを特徴とするエレベータの制御システム。
【発明の詳細な説明】
【技術分野】
【０００１】
本発明は、エレベータ制御盤に大掛かりな認証用データベースを持つことなく、簡易に来訪者に対するセキュリティを確保するエレベータの制御システムに関する。
【背景技術】
【０００２】
集合住宅などの中・高層建物においては、来訪者が居住者の許可を受けて乗りかご内に乗り込んで建物内に立ち入るシステムが開発されているが、乗りかごに乗り込んだ後の来訪者への制限が無いので、乗りかごを利して自由に往来したり、あるいは居住者から許可を受けたにも拘らず、乗りかごに乗り損ねた為に再度許可を受ける必要があるなど、セキュリティに対する不備が多く、また取扱いが不便であった。
【０００３】
そこで、従来、利用者の利便性を考慮しつつ、セキュリティの対策を強化したエレベータ制御装置が提案されている（特許文献１）。
【０００４】
このエレベータ制御装置は、ホテル滞在のエレベータ利用者が所持するＩＣカード等のルームキーに宿泊部屋番号を含む宿泊者等が乗降できる階（レストラン階、フロント、大浴場、宴会場等）を記述したキー情報が記憶されている。一般の宿泊客は会議室の有る階などには立ち入ることができない。
【０００５】
一方、エレベータ制御装置の認証用データベースには複数のルームキーの有効性についての情報が設定されている。この有効性情報とは、例えば宿泊部屋番号，建物（本館・別館）番号，有効期限，客室階を示す階数データ、開放階を示す階数データ、制限階を示す階数データ等が含まれている。
【０００６】
そして、エレベータ制御装置の内部には処理部が設けられている。処理部は、受信部、判断部、登録部、かご制御部等を備えている。
【０００７】
宿泊客がチェックイン時、フロントから客室のルームキーを受け取り、玄関階の乗場操作盤の呼びボタンを操作する前にルームキーを乗場読取装置に通すと、前記処理部の受信部がキー情報を受信し、判断部に渡す。判断部は、ルームキーのキー情報となるあらゆる情報について、認証用データベースの有効性情報に基づいて有効か否かを判断し、全て有効であれば、登録部が宿泊客の待つ玄関階に乗りかごを移動させる。さらに、登録部は、有効とされたルームキーのキー情報に基づく宿泊客の客室階を登録し、乗りかごを玄関階から客室階に移動させる。
【先行技術文献】
【特許文献】
【０００８】
【特許文献１】特開２００５−１７０５４１号公報
【発明の概要】
【発明が解決しようとする課題】
【０００９】
しかしながら、特許文献１に記載の技術によれば、エレベータ制御盤の認証用データベースに有効性を判断するための多種類の情報を設定する必要がある。このことは、大型のデータベースを必要とし、また、予め想定される条件のもとに有効性の情報を見つけ出して事前に登録しておかなければならない。その結果、大掛かりなシステムとなり、初期コストだけでなく、設置後にセキュリティに対する欠陥が生じるたびに有効性情報の条件追加等を行い、あるいは一部削除するなど、ランニングコストが非常に高くなる。
【００１０】
本発明は上記事情に着目してなされたもので、エレベータ制御盤に認証用データベースを設けることなく、事前に大量データ登録することなく、簡易に来訪者に対するセキュリティを確保するエレベータの制御システムを提供することを目的とする。
【課題を解決するための手段】
【００１１】
上記課題を解決するために、本発明に係るエレベータの制御システムは、建物の各居住室に設置され、建物のエントランス側に設置される来訪側通話装置を通して入室許可の要請を受けたとき、入室許可データを送出する居住側通話装置と、前記来訪側通話装置の近傍に設置され、前記居住側通話装置から入室許可データを受けたとき、入室許可に関するバーコード情報を印刷したバーコードを発行するバーコード発行器と、エレベータの設置乗場に設置され、前記来訪者が所持するバーコードのバーコード情報を読取り、入室許可に関するバーコード情報を送信するバーコードリーダと、このバーコードリーダから入室許可に関するバーコード情報を受信すると、当該バーコードリーダの設置階からの呼びとして登録し、エレベータ乗りかごを登録呼び階に移動させるエレベータ制御盤とを備えた構成である。
【００１２】
また、本発明に係る発明は、来訪者に対して、利用許可階、利用可能時間、利用可能回数等の制限を付けた状態でエレベータ乗りかごを運転制御できる。
【発明の効果】
【００１３】
本発明によれば、エレベータ制御盤に認証用データベースを設けることなく、事前にデータ登録することなく、比較的簡易に来訪者に対するセキュリティの強化を図ることができるエレベータの制御システムを提供できる。
【図面の簡単な説明】
【００１４】
【図１】本発明に係るエレベータの制御システムの実施形態１を示す構成図。
【図２】本発明に係るエレベータの制御システムの実施形態２を説明するためのバーコード発行器のデータ配置例を示す図。
【図３】本発明に係るエレベータの制御システムの実施形態３を説明するためのバーコード発行器のデータ配置例を示す図。抽
【図４】本発明に係るエレベータの制御システムの実施形態４を示す構成図。
【図５】本発明に係るエレベータの制御システムの実施形態４における処理例を説明するフロー図。
【図６】本発明に係るエレベータの制御システムの実施形態４の他の処理例を説明するフロー図。
【発明を実施するための形態】
【００１５】
以下、本発明の実施の形態について図面を参照して説明する。  
（実施の形態１）  
図１は本発明に係るエレベータの制御システムの実施の形態１を説明する構成図である。
【００１６】
エレベータの制御システムは、来訪側通話装置１と、この来訪側通話装置１にそれぞれ接続される各居住室２−３−１，２−５−１，…（−３−１は３階１号室，−５−１は５階１号室を意味する）内に設置される居住側通話装置３，…と、来訪側通話装置１の近傍に設置されるバーコード発行器４と、バーコード発行器４で発行されるバーコード５のバーコード情報を読み取るバーコードリーダ６と、エレベータ制御盤７と、このエレベータ制御盤７によって運行制御される乗りかご８とによって構成される。
【００１７】
来訪側通話装置１は、一般的に使用されているインターホンであって、建物の各階号室の呼び出しボタン、あるいは数値キーボタンが配列され、来訪者９が訪問先となる居住室の居住側通話装置３を呼び出す構成となっている。
【００１８】
居住側通話装置３は、来訪側通話装置１と同様に一般的に使用されるインターホンであって、本来の音声の送受信機能の他、例えば押しボタンなどの入室許可信号を出力する許可ボタン３ａが設けられている。
【００１９】
バーコード発行器４は、エントランス等に設置され、居住側通話装置３から入力されるデータに対応するバーコード情報を印刷してバーコード５を発行する。
【００２０】
バーコードリーダ６は、基準階のエレベータ乗場や玄関ホールに設置され、来訪者９が所持するバーコード５のバーコード情報を読み取ると、正常に読み取った情報（入室許可に関する情報）を送信する。
【００２１】
エレベータ制御盤７は、入室許可に関するバーコード情報を受信すると、バーコードリーダ設置階の呼びとして登録し、バーコードリーダ設置階へ乗りかご８を移動させるような制御を行う。
【００２２】
同図において、１０はエレベータ制御盤７からの運転指令を受けて回転する巻上機、１１は巻上機１０に掛け渡たしてその一端側に乗りかご８を吊り下げた主索であって、当該主索１１の他端側はつり合いおもり１２が吊下されている。１３は一部分を示す乗場ドア、１４はテールコードである。また、各階の乗場には乗場操作盤１５−１，１５−２，１５−３，…が設けられている。
【００２３】
次に、以上のように構成されたエレベータの制御システムの作用について説明する。
【００２４】
来訪者９は、建物内に入るためには訪問先となる例えば居住室２−３−１の居住者から入室許可を受ける必要がある。来訪者９は、エントランスに設置される来訪側通話装置１の該当号室の呼び出しボタン、あるいは数値キーボタンを選択的に操作し、訪問先となる例えば居住室２−３−１に設置される居住側通話装置３を呼び出し、居住者に対して入室許可を要請する。
【００２５】
居住者は、建物内の入室を許可する場合、許可ボタン３ａを操作し、建物入室許可データをバーコード発行器４に送信する。
【００２６】
バーコード発行器４は、居住側通話装置３から建物入室許可データを受け取ると、当該建物入室許可データに対応するバーコード情報を印刷したバーコード５を出力する。
【００２７】
ここで、来訪者９は、バーコード発行器４から発行されたバーコード５を受け取り、基準階のエレベータ乗場や玄関ホールに設置されるバーコードリーダ６に近づき、バーコード５のバーコード情報を読み込ませる。
【００２８】
バーコードリーダ６は、来訪者９が所持するバーコード５のバーコード情報を読み取ると、入出許可に関するバーコード情報（通常は単に正常にバーコード情報を読み取ったＯＫ信号）をエレベータ制御盤７に送信する。
【００２９】
エレベータ制御盤７は、バーコードリーダ６から送られてくる入出許可に関するバーコード情報を受信すると、バーコードリーダ設置階の呼びとして登録し、乗りかご８をバーコードリーダ設置階に移動させ、乗場ドア１３及び乗りかご８のかごドアを開け、来訪者９を乗せる。乗りかご８は、来訪者によるかご操作盤の行先階の操作のもとに訪問先となる居住階に移動する。
【００３０】
従って、以上のような実施の形態によれば、従来のようにエレベータ制御盤７に認証用データベースを持たないので、バーコードリーダ６等を簡単に据付けることにより、来訪者９に対するセキュリティを確保することができる。
【００３１】
また、バーコード発行器４やバーコードリーダ６を設置した後、データの変更や機器のメンテナンスがほとんど必要ないので、ランニングコストが少ない。
【００３２】
また、来訪者９を迎えるために事前に何らかの情報（例えば承認用データ）を登録するといった煩雑さがなく、手軽にセキュリティ対策を採ることができる。
【００３３】
さらに、バーコードリーダ６やエレベータ制御盤７は、発行済みのバーコード情報を蓄積しないばかりか、読み取ったバーコード情報の履歴も記録しない。要するに、バーコード情報を正常に読み取れれば承認ＯＫとし、来訪者の建物入室を許可するので、後々のデータの保存，管理等の問題も無くなる。
【００３４】
（実施の形態２）  
実施の形態２に係るエレベータの制御システムは、実施の形態１と同じ構成であるので、図１を用いて説明し、以下、特に異なる部分だ図２を参照して説明する。図２はバーコード発行器４内に設けられた利用許可階テーブルのデータ配列例図である。
【００３５】
実施の形態２で特に異なるところは、バーコード５のバーコード情報の中に利用許可階の情報を含めることにある。
【００３６】
そこで、このエレベータの制御システは、バーコード発行器４に図２に示すように利用階許可テーブル４−１が設けられている。利用階許可テーブル４−１には、予め居住室２−３−１，２−５−１，…の居住者の申請に基づき、来訪者９に対する利用許可階を登録しておく。つまり、居住室２−３−１，２−５−１，…ごとに利用許可階及び当該利用許可階を含んだバーコード情報が対応付けられている。
【００３７】
このようなエレベータの制御システにおいては、来訪者９がエントランスに設置される来訪側通話装置１の該当階の号室の呼び出しボタン、あるいは数値キーボタンを選択的に操作し、訪問先となる例えば居住室２−３−１の居住側通話装置３を呼び出し、居住者に対して入室許可を要請する。
【００３８】
居住者は、許可ボタン３ａを操作し、建物入室許可データをバーコード発行器４に送出すると、バーコード発行器４は、居住室２−３−１の居住側通話装置３からの建物入室許可データと認識し、利用階許可テーブル４−１を参照し、居住室２−３−１に対応付けされた利用許可階を含んだバーコード情報を印刷したバーコード５を発行する。
【００３９】
来訪者９は、バーコード発行器４から発行されたバーコード５を受け取り、バーコードリーダ６に近づけ、バーコード５のバーコード情報を読み込ませる。
【００４０】
バーコードリーダ６は、来訪者９が所持するバーコード５から利用許可階を含んだバーコード情報を読み取った旨の情報、すなわち利用許可階付きの入出許可情報をエレベータ制御盤７に送信する。
【００４１】
エレベータ制御盤７は、バーコードリーダ６から送られてくる利用許可階付きの入出許可情報を受信すると、適宜な記憶部の空きエリアに利用許可階の情報を一時的に記憶しておく。
【００４２】
ここで、エレベータ制御盤７は、バーコードリーダ設置階の呼びであることを登録し、乗りかご８をバーコードリーダ設置階に移動させ、乗場ドア１３及び乗りかご８のかごドアを開け、来訪者９を乗せる。来訪者が乗りかご８に乗り込んだ後、かご操作盤の行先階ボタンを操作すると、エレベータ制御盤７は一時的に記憶した利用許可階の情報を参照し、利用許可階以外の階の操作であれば、操作した行先階に対する呼び登録をしない。利用許可階であれば、呼び登録を行い、登録された利用許可階に移動させる。
【００４３】
従って、以上のような実施の形態によれば、実施の形態１と同様の効果を奏する他、居住者の申告に基づき、来訪者の利用許可階が決められるので、来訪者は許可階だけエレベータのサービスを受けることができ、それ以外の階の呼び登録をしないので、来訪者に対する利用階の制限によりセキュリティを向上させることができる。
【００４４】
なお、上記実施の形態は、予め居住者の申告に基づき、建物管理者側が利用階許可テーブル４−１に利用許可階データを設定するようにしたが、例えば居住側通話装置３に居住室識別データのもとに利用許可階データを設定するようにすれば、居住者は来訪者９から入室許可の要請を受けたとき、来訪目的その他の状況（宅配業者による荷物の宅配階等）に応じ、居住者識別データのもとに利用許可階データを入力し、利用階許可テーブル４−１に設定するようにしてもよい。
【００４５】
（実施の形態３）  
実施の形態３に係るエレベータの制御システムは、実施の形態１と同じ構成であるので、図１を用いて説明し、以下、特に異なる部分について図３を参照して説明する。図３はバーコード発行器４内に設けられた利用可能時間テーブルのデータ配列例図である。
【００４６】
実施の形態３で特に異なるところは、バーコード５のバーコード情報の中に利用可能時間の情報を含めることにある。
【００４７】
本発明に係るエレベータの制御システは、バーコード発行器４に図３に示すように利用可能時間テーブル４−２が設けられている。利用可能時間テーブル４−２には、予め居住室２−３−１，２−５−１，…の居住者の申請に基づき、建物管理者が来訪者９の利用可能時間を登録するか、あるいは居住側通話装置３に居住室識別データのもとに利用可能時間データを利用可能時間テーブル４−２に設定する。つまり、居住室２−３−１，２−５−１，…ごとに利用可能時間及び利用可能時間データを含んだバーコード情報が対応付けられている。
【００４８】
また、この利用可能時間テーブル４−２は、バーコード発行器４に時計機構を有し、「現在時刻」〜「現在時刻＋５分後」といったデータでもよい。
【００４９】
従って、以上のような構成によれば、来訪者９がエントランスに設置される来訪側通話装置１の該当階の号室の呼び出しボタン、あるいは数値キーボタンを選択的に操作し、訪問先となる例えば居住室２−３−１の居住側通話装置３を呼び出し、居住者に対して入室許可を要請する。
【００５０】
居住者は、許可ボタン３ａを操作し、建物入室許可データをバーコード発行器４に送出すると、バーコード発行器４は、居住室２−３−１の居住側通話装置３からの建物入室許可データと認識し、利用可能時間テーブル４−２を参照し、居住室２−３−１に対応付けられた利用可能時間を含んだバーコード情報を読み出し、バーコード５を発行する。
【００５１】
バーコードリーダ６は、来訪者９が所持するバーコード５のバーコード情報から利用可能時間データを含んだバーコード情報を読み取り、エレベータ制御盤７に送信する。
【００５２】
エレベータ制御盤７は、バーコードリーダ６から送られてくる利用可能時間を含んだバーコード情報を受信すると、適宜な記憶部の空きエリアに利用可能時間データを一時的に記憶しておく。
【００５３】
ここで、エレベータ制御盤７は、バーコードリーダ設置階の呼びであることを登録し、乗りかご８をバーコードリーダ設置階に移動させ、乗場ドア１３及び乗りかご８のかごドアを開け、来訪者９を乗せる。来訪者が乗りかご８に乗り込んだ後、かご操作盤の行先階ボタンを操作すると、エレベータ制御盤７は一時的に記憶した利用可能時間データを参照し、利用可能時間内であれば、行先階へ移動させる。
【００５４】
しかし、来訪者が再度バーコード５をバーコードリーダ６に読み込ませたとき、既に利用可能時間が過ぎている場合には無視し、バーコードリーダ設置階への呼び登録を行わない。また、エレベータ制御盤７は、利用可能時間を過ぎたとき、既に記憶されている該当利用可能時間データを削除する。
【００５５】
従って、以上のような実施の形態によれば、実施の形態１と同様の効果を奏する他、居住者の申告に基づき、あるいは居住者自ら、来訪者に対する利用可能時間を設定するので、来訪者は利用可能時間だけエレベータのサービスを受けることができ、利用可能時間を過ぎると来訪者の利用が制限されるので、セキュリティを向上させることができる。
【００５６】
なお、上記実施の形態は、来訪者に対する利用可能時間を設定したが、バーコード発行器４に例えば実施の形態２の利用許可階と本実施の形態の利用可能時間を設定し、来訪者に対して利用許可階と利用可能時間との両方で制限するようにしてもよい。
【００５７】
（実施の形態４）  
図４は本発明に係るエレベータの制御システムの実施の形態４を示す構成図である。なお、同図において、図１と同一部分には同一符号を付し、重複部分について説明を省略する。
【００５８】
この実施の形態４は、来訪者の利用回数を制限する例である。
【００５９】
具体的には、バーコード発行器４側に固有番号発行部４−３及びカウンタ，バッフアメモリ等の回数設定メモリ４−４が設けられる。
【００６０】
来訪者が来訪側通話装置１を通して建物入室の許可要請を行うと、固有番号発行部４−３が連続番号である所定の固有番号を発行し、回数設定メモリ４−４に記憶される。この状態において、来訪者である例えば宅配業者等が来訪側通話装置１を介して宅配先となる居住室２−３−１，…の居住側通話装置３，…に入室許可要請を順次行うと、各居住側通話装置３の許可ボタン３ａの操作によって入室許可信号を受けると、バーコード発行器４側の回数設定メモリ４−４における固有番号に対応付けられたカウンタメモリが順次カウントアップし、宅配先件数（回数）が記憶される。
【００６１】
来訪者が来訪側通話装置１の操作を終了し、あるいは操作終了の指示信号を入力すると、バーコード発行器４からエレベータ利用可能回数データを含んだバーコード情報を印刷したバーコード５が発行される。
【００６２】
一方、エレベータ制御盤７側では、固有番号の読取り履歴を記録する記録部７−１が設けられ、図５に示す一連の処理を実行する。
【００６３】
すなわち、宅配業者などが宅配荷物を所持し、バーコード発行器４から発行された固有番号＋エレベータ利用可能回数データを含んだバーコード５をバーコードリーダ６に読み込ませると、バーコードリーダ６から固有番号＋エレベータ利用可能回数データ付きのバーコード読取り情報を取得し、エレベータ制御盤７に送信する。
【００６４】
エレベータ制御盤７は、記録部７−１の読取り履歴部にＮ＝０をセットした後（Ｓ１）、バーコードリーダ６から固有番号が受信したか否かを判断し（Ｓ２）、固有番号受信有りと判断したとき、固有番号＋エレベータ利用可能回数データを記録するか否かを判断する（Ｓ３）。記録部７−１に同一の固有番号が存在しないとき、記録部７−１に固有番号＋エレベータ利用可能回数データを記録する（Ｓ４）。
【００６５】
エレベータ制御盤７は、固有番号の受信に伴い、読取り履歴部Ｎを＋１カウントアップする（Ｓ５）。
【００６６】
エレベータ制御盤７は、読取り履歴部の回数が既に記録済みのエレベータ利用可能回数を超えているか否かを判断し（Ｓ６）、超えていない場合には乗りかご８の利用許可を与える（Ｓ７）。その結果、エレベータ制御盤７は、乗りかご８をバーコードリーダ設置階に移動させ、乗場ドア１３及び乗りかご８のかごドアを開け、来訪者９を乗せる。そして、来訪者によるかご操作盤の行先階操作のもとに宅配先である居住室２−３−１の階へ移動し、１件目の宅配を済ませた後、バーコードリーダ設置階に戻る（Ｓ８）。
【００６７】
宅配業者は、引き続き、バーコードリーダ６にバーコード５をかざし、固有番号＋エレベータ利用可能回数データを読み込ませる。バーコードリーダ６は、バーコード５から再び固有番号＋エレベータ利用可能回数データを含むバーコード読取り情報を取得し、エレベータ制御盤７に送信する。
【００６８】
エレベータ制御盤７は、バーコードリーダ６から固有番号を受信すると（Ｓ２）、固有番号受信有りと判断したとき、固有番号＋エレベータ利用可能回数データを記録するか否かを判断する（Ｓ３）。既に固有番号が記録部７−１に記録されている場合、記録せずに読取り履歴部Ｎをさらに＋１カウントアップする（Ｓ５）。
【００６９】
ここで、エレベータ制御盤７は、読取り履歴部の回数が既に記録されるエレベータ利用可能回数を超えているか否かを判断し（Ｓ６）、超えている場合にはエレベータ利用を不可とし、超えていない場合には乗りかご８の利用許可を与える（Ｓ７）。
【００７０】
従って、例えば宅配業者はバーコード発行器４で発行されたエレベータ利用可能回数以内であれば、エレベータのサービスを受けることができる。
【００７１】
従って、以上のような実施の形態によれば、実施の形態１と同様の効果を奏する他、利用回数を制限することにより、来訪者が本来の目的以外で建物内を徘徊することを防止することができる。
【００７２】
なお、本発明は、上記実施の形態に限定されるものでなく、その要旨を逸脱しない範囲で種々変形して実施できる。
【００７３】
（１）  上記実施の形態では、実施の形態３にて利用可能時間を制限し、実施の形態にてエレベータ利用可能回数を制限したが、例えばこれら利用可能時間とエレベータ利用可能回数とを同時に制限する処理を行う構成であってもよい。
【００７４】
このシステムの構成は、エレベータ制御盤７の記録部７−１に固有番号＋エレベータ利用可能回数データの他、利用可能時間を記録する。そして、エレベータ制御盤７は、図６示すように図５に示すステップＳ５の前段に利用可能時間内か否かを判断する処理を追加し（Ｓ１１）、利用可能時間内に限り、記録部７−１の読取り履歴部Ｎに＋１カウントアップする処理を追加することにより（Ｓ５）、来訪者に対して、利用可能時間及び利用可能回数の両方で制限することにより、より高いセキュリティを確保する。
【００７５】
（２）  さらに、上記実施の形態は可能な限り組み合わせて実施することが可能であり、例えば実施の形態１〜４の構成を選択的に組み合わせることが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【符号の説明】
【００７６】
１…来訪側通話装置、２−３−１，…，２−５−１，…，２−１０−１，…  …居住室、３…居住側通話装置、３ａ…許可ボタン、４…バーコード発行器、４−１…利用階許可テーブル、４−２…利用可能時間テーブル、４−３…固有番号発行部、４−４回数設定メモリ、５…バーコード、６…バーコードリーダ、７…エレベータ制御盤、７−１…記録部、８…乗りかご、９…来訪者。
【図１】
2011051718.tif 000003
【図２】
2011051718.tif 000004
【図３】
2011051718.tif 000005
【図４】
2011051718.tif 000006
【図５】
2011051718.tif 000007
【図６】
2011051718.tif 000008